(57)【要約】【課題】  本考案はバイオトイレにあって、幼児の落下を防止すると同時に、常に清潔を保持して快適なバイオトイレの構築を提供する。【解決手段】  本考案の装置は、バイオトイレの糞便落とし口９に設置して、常時落下防止バー３によって幼児の落下を防止すると同時に、落下防止バー３は人体センサー１１によって利用者を感知し、利用されたあとにエアーコンプレッサー１２が作動して落下防止バー３をスライドさせる。これによって落下防止バー３に堆積した糞便、トイレットペーパーは掻き落とされ、また少量の洗浄水にて清潔さを保持可能にした幼児落下防止装置である、【選択図】  図５
0003121603.tif 000002
【実用新案登録請求の範囲】
【請求項１】
主としてステンレス鋼板にて製作されたフレームに、スライド可能なバーを設け、便器の糞便落とし口部に設置して、用便後バーの上に堆積した糞便およびトイレットペーパーなどをその都度掻き落とし、利用者に不快感を与えることの無いことを特徴とした、バイオトイレ幼児落下防止装置。
【請求項２】
常時バーにごく少量の水をたらし、バーがスライドし糞便およびトイレットペーパーなどを掻き落とす際、より丁寧に落とすことを可能にし、利用者に不快感を与えることの無いことを特徴とした、バイオトイレ幼児落下防止装置。
【考案の詳細な説明】
【考案の詳細な説明】
【技術分野】
【０００１】  本考案は、バイオトイレ利用者に不快感を与えることなく、比較的安価で確実に効果をもたらす、バイオトイレの幼児落下防止装置である。
【背景技術】
【０００２】  広く普及している水洗トイレのように、大量の水を使用して糞便を洗い流すことができないバイオトイレの便器は、糞便による汚れを極力軽減する必要性から、便器の糞便落とし口部を大きくして対応している。この結果市場のバイオトイレは、幼児が落下する危険性を持っている。
【考案の開示】
【考案が解決しようとする課題】
【０００３】  バイオトイレは、糞便落とし口部を大きくした便器を使用しているが、とくに不特定多数の人間が２４時間、管理者不在の公衆トイレにあって、幼児が誤って落下する危険性をもっている。また、便槽内には電動機をもって回転する攪拌翼が設置されており、万一落下すると即重大な結果をもたらす事は容易に考えられる。
本考案は、これをバイオトイレ利用者に不快な気持ちを与えることなく、その危険を解消するものである。
【課題を解決するための手段】
【０００４】  本考案は、バイオトイレが要求する糞便落とし口の寸法に対処し、主としてステンレス製によるフレームに、エアーシリンダーにて可動する落下防止バーがセットされている。トイレを利用して立ち去ったことをセンサーにて確認したのち、エアーシリンダーが作動して落下防止バーをスライドさせ、バー上にある糞便、トイレットペーパーなどは糞便掻き落としダストシールで掻き落とされる。その際、ダストシール部近くに取り付けられている洗浄用ノズルから常時ごく少量の水が出ているが、これによってより効果的に掻き落とすことが可能となる。そして再びエヤーシリンダーが作動して、次の利用者のためにバーは元の位置に戻って固定され、万一幼児が糞便開口部に落ちても糞便槽内には落下することは無く安全は確保される。
【考案の効果】
【０００５】  本考案は、単に便槽内へ幼児が落下することを防止するバーにとどまらず、とくに公衆トイレなど多数の利用者によってバーに堆積される糞便及びトイレットペーパーが、次に利用しようとする人の前に取り除かれていることは、バイオトイレの最大の特徴である水で洗い流すことなく、悪臭の全く発生しないトイレにとって、安全性の確保のみならず本考案は、清潔さが維持される事で、大きな効果をもたらすものである。
【考案を実施するための最良の形態】
【０００６】  図１は幼児落下防止装置の平面図である。図２は図１のＡＡ断面図で、図３はＢＢ断面図である。
図５は、便器の糞便落とし口に幼児落下防止装置がセッティングされた状態の平面図、図６は落下防止状態のＡＡ断面図でトイレ利用者が利用する前の状態である。図７はバー清掃時のＡＡ断面図で、トイレ利用者がそこから離れた直後の状態で、落下防止バーがエアーによって引き戻され糞便またはトイレットペーパーが掻き落とされた状態の図である。
図６と図７で利用者の行動と装置の動きを説明すると、落下防止バーがセットされた図６の状態で利用者は便座に座る。大人の場合は、落下防止バーが無くても危険は殆どないが、危険に対して認識の極めて低い幼児が、大人の真似をして便座に座ろうとして、座ることが出来ず、便器の糞便落とし口（短径１７５〜２４０ｍｍ  長径２３３〜３４２ｍｍ）から便槽内に落下することが起こりうる。その開口部に本装置がセットされていることで、幼児の便槽内落下は防止される。
単に落下防止の為のバーは既に公知の事実であるが、これから利用する人の前に、多くの人が利用した糞便およびトイレットペーパーが、すぐ目の下にある落下防止バーに堆積している状態で、便座に座ることは悪臭も加わって大きな不快な念を抱くことは間違いない。
ここで本考案は、トイレが利用された都度、人が立ち去ったことが確認した後、落下防止バーが作動して糞便をきれいに掻き落とし、常に清潔さが保持された状態でセットされ、落下を防止するものである。
【実施例】
【０００７】  以下、添付図面に従って一実施例について説明する。図１は落下防止装置本体の平面図、図２はそのＡＡ断面図である。図１において落下防止装置本体は、ステンレス鋼板によって枠組みされたフレーム１にエアーシリンダー２が取り付けられている。エアーシリンダー２の本体内にはコイルバネが内蔵され常時落下防止バー３はバー受け４ダストシール５にセットされている。【０００８】  図５は落下防止装置が便座８下部に組み込まれたバイオトイレの平面図、図６は落下防止状態の断面図である。トイレの利用者はドアー７を開けて入ってくるがその際人体センサー１１が感知して人間が入ったことを確認する。利用者はトイレの利用目的によって立ったまま、或いは便座８に腰掛けて用をたすが、その後ドアー７を開けて退出する。この時再び人体センサーが作動しエアーコンプレッサー１２に通電されてモーターが回転し、圧縮空気がエアーホース１３を通してシリンダーに供給される。すると落下防止バー３はエアーシリンダー２内にセットされているバネ圧に打ち勝ってシリンダー内に入っていくが、この際に落下防止バー３の上に堆積された糞便およびトイレットペーパーが、ダストシール５によって掻き落とされる。これが図７の状態である。
セッティングされた時間５秒程度経過すると、再びエアーコンプレッサー１２の電源が切れて、圧縮空気は大気圧に戻りシリンダー内のバネの力によって落下防止バー３は当初の状態にセットされて次の利用者に対処する。【０００９】  落下防止バー３、ダストシール５およびバー受け４には除去しきれない糞便があり、これをより清潔に維持する目的で、ダストシール５バー受け４に常時少量の水を滴下し、糞尿の固化を防止すると同時にそれらの部分を洗い流すことを目的とした装置、洗浄水ノズル１０を取り付けてある。
【図面の簡単な説明】
【００１０】
【図１】本考案の幼児落下防止装置の平面図である
【図２】〔図１〕のＡＡ断面図である
【図３】〔図１〕のＢＢ断面図である
【図４】ダストシール取付部詳細図である
【図５】幼児落下防止装置バイオトイレへの取付平面図である
【図６】〔図５〕のＡＡ断面図（落下防止状態）である
【図７】〔図５〕のＡＡ断面図（バー清掃状態）である
【図８】一般的バイオトイレ外観図である
【符号の説明】
【００１１】  １  フレーム
２  エアーシリンダー
３  落下防止バー
４  バー受け
５  ダストシール
６  ダストシール受け
７  ドアー
８  便座
９  糞便落とし口
１０  洗浄水ノズル
１１  人体センサー
１２  エアーコンプレッサー
１３  エアーホース
１４  便槽
１５  攪拌スクリュー
１６  減速器付電動機
１７  制御盤
１８  水タンク
１９  洗浄水ホース
２０  担体（おがくず）
【図１】
0003121603.tif 000003
【図２】
0003121603.tif 000004
【図３】
0003121603.tif 000005
【図４】
0003121603.tif 000006
【図５】
0003121603.tif 000007
【図６】
0003121603.tif 000008
【図７】
0003121603.tif 000009
【図８】
0003121603.tif 000010
【手続補正書】
【提出日】平成17年12月19日(2005.12.19)
【手続補正１】
【補正対象書類名】実用新案登録請求の範囲
【補正対象項目名】請求項２
【補正方法】変更
【補正の内容】
【請求項２】
常時バーにごく少量の水をたらし、バーがスライドし糞便およびトイレットペーパーなどを掻き落とす際、より丁寧に落とすことを可能にし、利用者に不快感を与え無いことを特徴とする、請求項１に記載のバイオトイレ幼児落下防止装置